(57)【要約】【課題】屋根材を軽量化することで、取付け作業が容易になる屋根構造物を提供する。【解決手段】屋根１を構成する複数枚の屋根材１ｅが、平板状のアルミニウム製の形材であり、母屋１ｂには、屋根材１ｅを吊下げ支持するための固定金具１０が取付けられている。屋根材１ｅの一側縁部には、固定金具１０の支持部１２における被係合片１３に係合する第１係合片２１が形成されており、他側縁部には、隣接する屋根材１ｅの第１係合片２１に係合する第２係合片２２が形成されている。母屋１ｂに連結された固定金具１０の支持部１２に形成された被係合片１３に、屋根材１ｅの第１係合片２１を固定金具１０の支持部１２に形成された被係合片１３に係合させ、第２係合片２２を隣接する屋根材１ｅの第１係合片２１に係合させることで、屋根材１ｅを仮固定することができ、施工が容易になり、かつ、施工作業の安全性が向上する。【選択図】図１
2020133274.tif 000002
【特許請求の範囲】
【請求項１】
複数枚の屋根材を吊持材で吊下げ支持した屋根構造物であって、
前記屋根材が、平板状のアルミニウム製の形材であり、
前記吊持材には、前記屋根材を吊下げ支持するための固定金具が取付けられている
ことを特徴とする屋根構造物。
【請求項２】
前記固定金具は、
前記吊持材と連結するための連結部と、
前記屋根材を吊下げ支持するための支持部とを有し、
前記支持部には被係合片が形成されており、
前記屋根材は、
一側縁部に、前記被係合片に係合する第１係合片が形成されており、
他側縁部に、隣接する屋根材の第１係合片に係合する第２係合片が形成されている
ことを特徴とする請求項１記載の屋根構造物。
【請求項３】
前記固定金具における支持部と、
該支持部上に配置された前記屋根材の第１係合片と、
該第１係合片上に配置された隣接する屋根材の第２係合片とが、
上方からネジにより結合されている
ことを特徴とする請求項２記載の屋根構造物。
【請求項４】
前記屋根材の第１係合片には、排水用溝が付設されている
ことを特徴とする請求項２または３記載の屋根構造物。
【請求項５】
前記屋根材の第２係合片には、前記排水用溝に雨水を案内するための突起が設けられている
ことを特徴とする請求項４記載の屋根構造物。
【発明の詳細な説明】
【技術分野】
【０００１】
本発明は、屋根構造物に関する。さらに詳しくは、屋根材を吊持材で吊下げ支持する屋根構造物に関する。
【背景技術】
【０００２】
特許文献１は、屋根体を一対の支柱で支持した片持ち構造のカーポート等を含む屋根構造体を開示している。屋根体は一対の支柱にそれぞれ接続された梁の下方に吊り下げ支持されている。
屋根体は複数枚の長尺の屋根材からなり、各屋根材はネジ部材で梁に結合されている。つまり、ネジ部材は梁の下縁に形成された板部を貫いて上から下向きに差し込まれ、板部の下方に配置された屋根体の適所にネジ部材のネジ山を螺合させて結合している。
【０００３】
上記従来技術では、各屋根材の両側縁には引掛け片と被引掛け片とが形成されており、先にネジ部材で梁に固定された屋根材の引掛け片に、これから取付ける屋根材の被引掛け片を引掛けて、片方の側縁を預けた状態にして、人力で他方の側縁を押し上げて長尺の屋根材を水平にし、ネジ部材を上から差し込んで締結する作業が必要であった。
【０００４】
しかるに、上記従来技術では、以下の問題点があった。
まず、屋根材が内部に空洞を有する中空構造のアルミ材料の形材で構成されているため重量があり、この屋根材を上向きに押し上げる作業は重筋作業となって作業員への肉体的負担が大きかった。
また、屋根材の重量をネジ部材のネジ山だけで支えているので、積雪や強風などの上下方向の負荷により、ネジ部材のゆるみが生じやすく、屋根材のガタツキが生じる惧れがあった。
さらに、隣接する屋根材の接合部分に雨漏りを防止するパッキンを介装が必要であった。通常パッキンは樹脂製であるため、経年劣化により、防水性能が低下する惧れがある。そのため、パッキンを取り替える必要があり、メンテナンスに手間がかかるという問題があった。
【先行技術文献】
【特許文献】
【０００５】
【特許文献１】特開２０１８−１２３６４７号公報
【発明の概要】
【発明が解決しようとする課題】
【０００６】
本発明は上記事情に鑑み、屋根材を軽量化することで、取付け作業が容易になる屋根構造物を提供することを目的とする。
【課題を解決するための手段】
【０００７】
第１発明の屋根構造物は、複数枚の屋根材を吊持材で吊下げ支持した屋根構造物であって、前記屋根材が、平板状のアルミニウム製の形材であり、前記吊持材には、前記屋根材を吊下げ支持するための固定金具が取付けられていることを特徴とする。
第２発明の屋根構造物は、第１発明において、前記固定金具は、前記吊持材と連結するための連結部と、前記屋根材を吊下げ支持するための支持部とを有し、前記支持部には被係合片が形成されており、前記屋根材は、一側縁部に、前記被係合片に係合する第１係合片が形成されており、他側縁部に、隣接する屋根材の第１係合片に係合する第２係合片が形成されていることを特徴とする。
第３発明の屋根構造物は、第２発明において、前記固定金具における支持部と、該支持部上に配置された前記屋根材の第１係合片と、該第１係合片上に配置された隣接する屋根材の第２係合片とが、上方からネジにより結合されていることを特徴とする。
第４発明の屋根構造物は、第２発明または第３発明において、前記屋根材の第１係合片には、排水用溝が付設されていることを特徴とする。
第５発明の屋根構造物は、第４発明において、前記屋根材の第２係合片には、前記排水用溝に雨水を案内するための突起が設けられていることを特徴とする。
【発明の効果】
【０００８】
第１発明によれば、屋根材が平板状のアルミニウム製の形材であることから、従来の空洞を有する中空構造のものと比べ、軽量化が可能であり、かつ、材料費を抑えることができる。また、屋根材が平板状であることから、天井材を使用しなくても、屋根構造物の天井面を形成することができる。
第２発明によれば、屋根材の第１係合片を固定金具の支持部に形成された被係合片に係合させ、第２係合片を隣接する屋根材の第１係合片に係合させることで、屋根材を仮固定することができるので、施工が容易になり、かつ、施工作業の安全性が向上する。
第３発明によれば、固定金具の支持部と、屋根材の第１係合片と、隣接する屋根材の第２係合片とをネジにより結合していることから、従来技術のように屋根材の一側縁のみを梁などに固定したものに比べ、風などにより生じる屋根材のガタツキを抑えることができる。
また、第１係合片と第２係合片が、支持部上に配置されていることから、積雪などの下方向の負荷に対して、ネジのゆるみが生じにくい。
さらに、屋根材の上方からネジにより結合していることから、屋根構造物の下から屋根を見上げた際にネジが見えず、フラットな天井面を形成することができる。
第４発明によれば、第１係合片と第２係合片の間から雨水が入り込んだ場合でも、第１係合片に付設した排水用溝で雨水を排水できるため、屋根からの雨漏りを防ぐことができる。また、隣接する屋根材間（たとえば、第１係合片と第２係合片の間）にパッキンなどの防水用の部材を設ける必要が無いので、材料費を抑えることができ、かつ、メンテナンスの手間を省くことができる。
第５発明によれば、第１係合片と第２係合片の間から入り込んだ雨水が第２係合片の下面を伝った場合でも、突起によって雨水を排水用溝へ案内するので、屋根からの雨漏りを防ぐことができる。
【図面の簡単な説明】
【０００９】
【図１】本発明の第１実施形態に係る屋根構造物の部分斜視図である。
【図２】固定金具１０と母屋１ｂを示す斜視図である。
【図３】（Ａ）図は本発明に係る屋根材１ｅａの断面図、（Ｂ）図は屋根材１ｆの断面図、（Ｃ）図は屋根材１ｇの断面図である。
【図４】第１実施形態に係る屋根構造物の施工要領の説明図である。
【図５】第１実施形態に係る屋根構造物の施工後の説明図である。
【図６】（Ａ）図は本発明に係る屋根材１ｅｂの断面図、（Ｂ）図は屋根材１ｅｂの施工後の屋根構造物の説明図である。
【図７】第１実施形態に係る屋根構造物の斜視図である。
【図８】図７に示す屋根構造物の平面図である。
【図９】図８のIX-IX線断面図である。
【図１０】図８のX-X線断面図である。
【図１１】本発明の第２実施形態に係る屋根構造物の斜視図である。
【図１２】本発明の第３実施形態に係る屋根構造物の斜視図である。
【発明を実施するための形態】
【００１０】
つぎに、本発明の各実施形態を図面に基づき説明する。
本発明に係る屋根構造物の適用対象はカーポートのほか、サイクルポートや回廊などを含むが、以下では、代表的な適用対象であるカーポートに適用した実施形態を説明する。
なお、本明細書で、前後方向を意味する用語は、図７における屋根１の自由端側（図中左側）を基準として「前方」とか「前端」と表現し、屋根１の固定端側（図中右側）を基準として「後方」とか「後端」と表現する。また、左右を意味する用語は図７における手前側を「左」とし、奥側を「右」として表現する。上下を意味する用語は、各図の上下方向を基準として表現する。
【００１１】
（第１実施形態に係る屋根構造物の構成）
図７に示す符号Ａはカーポートで、屋根１と支柱２を主たる構成要素としている。
屋根１は、その後端部で左右一対の支柱２，２に取付けられ固定されている。屋根１の前端部は自由端である。屋根１は、屋根材１ｅを吊持材で吊下げ支持した構成となっている。本発明の係る屋根材１ｅには、図３（Ａ）に示す屋根材１ｅａと図６（Ａ）に示す屋根材１ｅｂの２つが含まれる。２つの屋根材１ｅａ，１ｅｂを含めて説明するときは符号１ｅを使用する。特許請求の範囲にいう吊持材には、母屋のほか梁や垂木などが含まれるが、以下では母屋１ｂを吊持材に用いた実施形態を説明する。
【００１２】
本実施形態における支柱２は、上端が後方に傾斜した状態で屋根１を支持する傾斜タイプである。支柱２自体の形状は任意であり、断面四角形の角筒や、角筒を２本結合したものなどを採用できる。また、支柱２は直立したものであってもよい。
本発明において、屋根１を支持する支柱２の本数は２本以上でもよく、本数に制限はない。たとえば、屋根１の左右寸法が大きい場合、左右一対の支柱２の間に、中間支持用の支柱２を設けてもよい。また、屋根１の四方に、各々支柱２を設け、支柱２を４本使用してもよい。符号２ｂは支柱２の下端部であり、地中のコンクリート基礎５に固定されている。
【００１３】
屋根１は、梁１ａ、母屋１ｂからなる枠材１ｄに平板状の屋根材１ｅを固定した部材である。梁１ａは、２本用いられ２本の支柱２の上端に固定されている。母屋１ｂは２本の梁１ａに対して直角に交差して取付けられている。図示の実施形態では４本の母屋１ｂが用いられているが、３本以下であってもよく、５本以上であってもよい。
屋根１の後端には横樋４ａが取付けられ、支柱２の側面には縦樋４ｂが取付けられている。横樋４ａと縦樋４ｂとでカーポートＡの樋４が構成されている。
梁１ａや母屋１ｂはアルミニウム製の形材が用いられるが、これに限らず任意の材料を用いることができる。
【００１４】
本発明における屋根材は、屋根としての機能（雨水などを排水溝へ案内する、太陽光を遮断する等）を有する部材である。図示の屋根材１ｅは長尺であり平板状のアルミニウム製の形材が用いられる。屋根材１ｅは図７および図８に示すように、複数枚が用いられる。図示の例では、８枚であるが、屋根１の大きさによって７枚以下でもよく、９枚以上でもよい（この枚数には後述する屋根材１ｆ，１ｇを含まない）。
左右両端の梁１ａ，１ａに固定される屋根材１ｆ，１ｇは本発明に係る屋根材１ｅとは異なる構成となるが、この点は後述する。
図８に示すように、屋根材１ｅの長さは、屋根１の長さとほぼ等しくなる。換言すれば、屋根材１ｅは、屋根１の前端部から後端部に至る長さの長尺材である。
【００１５】
従来の屋根材は、内部に空洞を有する中空構造のアルミニウム製の形材であるが、本発明の屋根材１ｅは平板状のアルミニウム製の形材であるため、軽量化が可能であり、かつ材料費を抑えることができる。また、本発明の屋根材１ｅは、平板状とすることで、屋根構造物の天井面を形成することができる。
【００１６】
つぎに、吊持材である母屋１ｂに屋根材１ｅを取付ける構造を説明する。
図１に示すように、屋根材１ｅは固定金具１０を介して母屋１ｂに吊下げ支持される。図１では１本の母屋１ｂに吊下げられる屋根材１ｅの長手方向の一部のみ図示しているが、実際には図８および図９に示すように、複数本の母屋１ｂで屋根材１ｅが固定金具１０によって固定される。
【００１７】
図２に示すように、固定金具１０は母屋１ｂの下面に取付けられる。
固定金具１０は、母屋１ｂと連結するための連結部１１と、屋根材１ｅを吊下げ支持するための支持部１２とを有する。固定金具１０は、連結部１１と支持部１２が別体のものを結合したものであってもよいが、一体に形成された部材であることがより好ましい。
【００１８】
連結部１１は断面略Ｕ字状に形成されており、１枚の底板１１ａとこの底板１１ａの両端縁から立ち上る２枚の側板１１ｂからなる。２枚の側板１１ｂにはネジ孔１１ｃが形成されており、ネジ孔１１ｃにネジを横から通して母屋１ｂにねじ込むことで固定金具１０を母屋１ｂの下面に取付けることができる。連結部１１の形状は、吊持材に連結できるものであれば、とくに制限はなく、断面略Ｕ字状のものに限られない。
【００１９】
前記支持部１２は連結部１１の底板１１ａにつながるよう平板状に形成されており、底板１１ａより広い幅を有している。
そして、支持部１２の両端部には各々雌ネジ孔１２ｃが形成されており、屋根材１ｅを固定するためのネジ３０をねじ込めるようになっている。
また、支持部１２の先端は上方に向け折り曲げられた被係合片１３が形成されている。この被係合片１３は屋根材１ｅを吊り下げたときの外れ落ちを防止するためのものである。
【００２０】
つぎに、本発明に係る屋根材１ｅを説明する。
図３（Ａ）は、屋根材１ｅのうち第一の例である屋根材１ｅａを示している。
同図に示すように、本発明に係る屋根材１ｅａは平板状の本体部２０を備えており、その一側縁部（図中右端側）には、第１係合片２１が形成されており、その他側縁部（図中左端側）には第２係合片２２が形成されている。なお、本発明において、屋根材が平板状であるとは、屋根材の本体部が空洞を有する中空構造を備えていない形状のことである。
第１係合片２１と第２係合片２２は断面形状が複雑であるが、屋根材１ｅａの素材はアルミニウム製の形材であるので、複雑な断面形状でも任意に成形することができる。
【００２１】
第１係合片２１は、固定金具１０の被係合片１３に係合する係合部２６と、支持部１２および隣接する屋根材の第２係合片２２とネジ３０により結合する結合面２７と、を有する。この屋根材１ｅａにおいて、第１係合片２１は、断面視で上下反転した略Ｌ字形に形成されており、結合面２７の下面には下向きの２本の平行なリブ２１ａ，２１ａが形成されている。このリブ２１ａ，２１ａの下端は施工状態で固定金具１０の支持部１２の上面に接触する。
この屋根材１ｅａでは、結合面２７が係合部２６の一部の役割を担う形状となっている。
【００２２】
第１係合片２１の外端（右端）には断面Ｌ字形の樋２３が形成され、その内側が雨水の排水用溝２４とされている。この排水用溝２４は屋根材１ｅａの全長にわたって形成されている。屋根１の全表面に降ってきた雨水は基本的に本体部２０でほとんど全量を図７に示す横樋４ａに導き排水するが、後述するように第１係合片２１と第２係合片２２の間から入り込んだ雨水は排水用溝２４で横樋４ａに導かれ、外部に排水される。
【００２３】
第２係合片２２は、隣接する屋根材の第１係合片２１に係合する係合部２８と、固定金具１０の支持部１２および隣接する屋根材の第１係合片２１とネジにより結合する結合面２９と、を有する。この屋根材１ｅａにおいて、第２係合片２２は、断面図で上下反転したＬ字形に形成されており、結合面２９の外端には下向きの１本のリブ２２ａが形成されている。この第２係合片２２の内側には、排水用溝２４に雨水を案内する突起２５が設けられている。この突起２５は排水用溝２４の凹所内に臨むように形成されているが、係合はしていない。この突起２５が排水用溝２４内に臨んでいることにより、第１係合片２１と第２係号片２２の間から入り込んだ雨水が第２係合片２２の下面を伝った場合でも、雨水を案内する役目を果すことができる。
【００２４】
雨水の排水は、既述のごとく基本的に屋根材１ｅａの本体部２０が担っているが、排水用溝２４は、第１係合片２１と第２係合片２２の間から入り込んだ雨水を横樋４ａに案内するものである。
とくに、第１係合片２１と第２係合片２２の間から入り込んだ雨水が第２係合片２２の下面を伝った場合は、突起２５によって雨水を排水用溝２４へ案内し、その排水用溝２４で雨水を排水できるため、屋根１からの雨漏りを防ぐことができる。そのため、隣接する屋根材１ｅａ，１ｅａ間にパッキンなどの防水用の部材を設ける必要が無くなるので、材料費を抑えることができ、かつ、メンテナンスの手間を省くことができる。
【００２５】
本実施形態において、屋根１の両端部、つまり梁１ａに直接結合される屋根材は、第２発明に含まれない屋根材であり、上記図３（Ａ）に示す形状とは異なっている。
図８の左端に示す屋根材１ｆは、図３（Ｂ）に示すように、本体部２０の一側縁部（右端側）には第１係合片２１を形成しているが、他側縁部（左端側）には第２係合片を形成していない。
また、図８の右端に示す屋根材１ｇは、図３（Ｃ）に示すように、本体部２０の他側縁部（左端側）には第２係合片２２を形成するが一側縁部（右端側）には第１係合片を形成しないものとなる。
【００２６】
（第１実施形態に係る屋根構造物の施工方法）
つぎに、図４に基づき本発明の屋根構造のうち屋根材１ｅａの施工方法を説明する。なお、図４は図１０におけるIV部分を拡大した図である。
母屋１ｂには所定の間隔で固定金具１０を取付けるが、図は取付け後の状態を示している。図中左端の屋根材１ｆは、他側縁部（左端側）を梁１ａに形成されている固定部４０の下部材４１上に載せ、一側縁部（右端側）の第１係合片２１を固定金具１０の支持部１２上に載せる。その後、他側縁部（左端側）に上部材４２をのせてネジ止め固定する（図４参照）。
【００２７】
上記の状態で、屋根材１ｆの第１係合片２１上に隣接する屋根材１ｅａの第２係合片２２を配置する。このとき、この屋根材１ｅａの第１係合片２１は、隣接する固定金具１０の支持部１２上に配置する。そして、屋根材１ｅａの第２係合片２２と隣接する屋根材１ｆの第１係合片２１とを上方からネジ３０で共に貫いて、固定金具１０の支持部１２に結合する。つまりネジ３０をねじ込んでねじ止め固定する。
ネジ３０のねじ込みのため、固定金具１０の支持部１２に形成された雌ネジ孔１２ｃ（図２参照）と同位置に第１係合片２１と第２係合片２２の適所には貫通孔を形成しておくとよい。
【００２８】
図４には示していないが、屋根材１ｅａの右隣に取付ける別の屋根材１ｅａは上記と同じ要領を繰返せばよく、そうすることで全枚数の屋根材１ｅａを取付けることができる。
なお、図８の最右端の屋根材１ｇは一側縁部（右端側）を右側の梁１ａの固定部４０で固定することになる（図１０参照）。
【００２９】
図５および図１０は固定された屋根材１ｅａを示している。同図に示すように、母屋１ｂに取付けられた固定金具１０の支持部１２に、屋根材１ｅａの第１係合片２１と隣接する屋根材１ｅａの第２係合片２２が共にネジ３０により結合されることで、屋根材１ｅａの固定が完了する。
この状態で、第１係合片２１の結合面２７の下面のリブ２１ａは支持部１２の上面に当接し、係合部２６は固定金具１０の支持部１２先端の被係合片１３に係合している。また、第２係合片２２の結合面２９は固定金具１０の支持部１２上に配置された隣接する屋根材１ｅａの第１係合片２１の結合面２７に当接すると共に、係合部２８は直接には隣接する屋根材１ｅａの第１係合片２１に係合して間接的に固定金具１０の支持部１２に係合している。
このように、屋根材１ｅａ，１ｅａを配置した状態で、固定金具１０の支持部１２と、屋根材１ｅａの第１係合片２１と、隣接する屋根材１ｅａの第２係合片２２とをネジ３０により結合する。
【００３０】
つぎに、本発明に係る屋根材１ｅの他の例である屋根材１ｅｂを図６に基づき説明する。
図６（Ａ）に示す屋根材１ｅｂは、第１係合片２１および第２係合片２２を備えている点は、図３（Ａ）に示す屋根材１ｅａと同様であるが、それらの形状は少し異なっている。
【００３１】
第１係合片２１のうち、係合部２６は固定金具１０の支持部１２の被係合片１３に係合するように断面略Ｕ字状に形成されている。結合面２７は係合部２６につながる平坦な形状であり、図中左側に延び、かつ係合部２６よりも低い位置となるように形成されている。このため結合面２７は係合部２６の役割は担っていないが、固定金具１０の支持部１２に当接させることができる。
【００３２】
第２係合片２２のうち、係合部２８は隣接する屋根材１ｆ（または１ｅｂ）の第１係合片２１の係合部２６に係合するように断面略Ｕ字状に形成されている。結合面２９は係合部２８につながる平坦な形状であり、図中左側に延び、かつ係合部２８よりも低い位置となるように形成されている。なお、結合面２９の外端には下向きの１本のリブ２２ａが形成されている。結合面２９は係合部２８の役割は担っていないが、固定金具１０の支持部１２上の隣接する屋根材１ｆの第１係合片２１における結合面２７に当接することができる。
【００３３】
図６（Ｂ）は同図（Ａ）に示す屋根材１ｅｂを固定金具１０に取付けた状態を示している。この屋根材１ｅｂにおいて、第１係合片２１の結合面２７も第２係合片２２の結合面２９も取付け後の接触面積が大きいので、屋根材１ｅｂの風雨等の外力に対する抵抗力を高め、ガタツキ等を抑制しやすい。
【００３４】
（第２実施形態の屋根構造物）
図１１に基づき、第２実施形態の屋根構造物を説明する。
この屋根構造物は、吊持材として梁１ａを用いた実施形態である。
２本の支柱２，２のそれぞれの上端に梁１ａが１本ずつ片持ち状に取付けられている。２本の梁１ａ，１ａのそれぞれに複数個の固定金具１０が取付けられている。
【００３５】
屋根材１ｅとしては図３（Ａ）に示す屋根材１ｅａと図６（Ａ）に示す屋根材１ｅｂのどちらを用いてもよい。
固定金具１０による屋根材１ｅの吊下げ支持構造は図５および図６を用いて説明したものと同様であり、その施工方法は図４を用いて説明したものと同様である。
本実施形態では、屋根１の四周を囲むように、囲み部材１ｈ，１ｉが取付けられている。なお、囲み部材１ｉは雨水を排出する樋機能を有するものである。
【００３６】
（第３実施形態の屋根構造物）
図１２に基づき、第３実施形態の屋根構造物を説明する。
本実施形態は、支柱２が直立したものである。
屋根１の構成は、図７から図１０に基づき説明したものと同様であり、屋根材１ｅは母屋１ｂに取付けた固定金具１０を介して吊下げ支持されている。屋根材１ｅとしては図３（Ａ）に示す屋根材１ｅａと図６（Ａ）に示す屋根材１ｅｂのどちらを用いてもよい。
【００３７】
（他の実施形態）
上記第１〜第３実施形態において、特許請求の範囲にいう「吊持材」として、母屋と梁を説明したが、これ以外にも、垂木なども吊持材に該当し、種々の吊持材を用いて屋根材を吊下げ支持するものは、全て本発明に含まれる。
また、「屋根材」として、図３（Ａ）に示す屋根材１ｅａと図６（Ａ）に示す屋根材１ｅｂを説明したが、これ以外にも、平板状のアルミニウム製の形材であり、一側縁部に、被係合片に係合する第１係合片が形成され、他側縁部に、隣接する屋根材の第１係合片に係合する第２係合片が形成されているものは、全て本発明に含まれる。
【００３８】
本発明の各実施形態の利点は、以下のとおりである。
（１）屋根材１ｅが平板状のアルミニウム製の形材であることから従来の中空構造のものと比べ、軽量化が可能であり、かつ、材料費を抑えることができる。また、屋根材１ｅが、平板状であることから、天井材を使用しなくても、屋根構造物の天井面を形成することができる。
（２）屋根材１ｅの上方からネジ３０により結合していることから、屋根構造物の下から屋根を見上げた際にネジ３０が見えず、フラットな天井面を形成することができる。
【００３９】
（３）屋根材１ｅの第１係合片２１を固定金具１０の支持部１２に形成された被係合片１３に係合させ、第２係合片２２を隣接する屋根材１ｅの第１係合片２１に係合させることで、屋根材１ｅを仮固定することができるので、施工が容易になり、かつ、施工作業の安全性が向上する。
（４）固定金具１０の支持部１２と、屋根材１ｅの第１係合片２１と、隣接する屋根材１ｅの第２係合片２２とをネジ３０により結合していることから、従来技術のように屋根材の一側縁のみを梁などに固定したものに比べ、風などにより生じる屋根材１ｅのガタツキを抑えることができる。
（５）第１係合片２１と第２係合片２２が、支持部１２上に配置されていることから、積雪などの下方向の負荷に対して、ネジ３０のゆるみが生じにくい。
【００４０】
（６）第１係合片２１と第２係合片２２の間から雨水が入り込んだ場合でも、第１係合片２１に付設した排水用溝２４で雨水を排水できるため、屋根からの雨漏りを防ぐことができる。また、隣接する屋根材間（例えば、第１係合片２１と第２係合片２２の間）にパッキンなどの防水用の部材を設ける必要が無いので、材料費を抑えることができ、かつ、メンテナンスの手間を省くことができる。
（７）第１係合片２１と第２係合片２２の間から入り込んだ雨水が第２係合片２２の下面を伝った場合でも、突起２５によって雨水を排水用溝２４へ案内するので、屋根からの雨漏りを防ぐことができる。
【産業上の利用可能性】
【００４１】
本発明は、屋根材を吊持材で吊下げ支持する形式の屋根構造物を対象とし、その対象物には、車庫（カーポート）や、自転車を保管する駐輪場（サイクルポート）、人の歩行場所に設置する回廊を含むが、これらに限定されない。
【符号の説明】
【００４２】
１    屋根
１ａ    梁
１ｂ    母屋
１ｅ    屋根材
１０    固定金具
１１    連結部
１２    支持部
１３    被係合片
２０    本体部
２１    第１係合片
２６    係合部
２７    結合面
２２    第２係合片
２８    係合部
２９    結合面
２４    排水用溝
２５    突起
３０    ネジ
【図１】
2020133274.tif 000003
【図２】
2020133274.tif 000004
【図３】
2020133274.tif 000005
【図４】
2020133274.tif 000006
【図５】
2020133274.tif 000007
【図６】
2020133274.tif 000008
【図７】
2020133274.tif 000009
【図８】
2020133274.tif 000010
【図９】
2020133274.tif 000011
【図１０】
2020133274.tif 000012
【図１１】
2020133274.tif 000013
【図１２】
2020133274.tif 000014